(57)【要約】【課題】飛翔昆虫を誘引するガスを用いて飛翔昆虫を誘引し、室外へと排出することのできる換気装置を提供する。【解決手段】筐体２の前面において室内空気を排出する吸込口３と、吸込んだ空気を排出する排気口４と、吸込口３と排気口４とを連通する風路５と、吸込口３よりも面積を大きくして形成し、該吸込口３との間に隙間１１をとって配置した吸込口カバー８と、蚊を誘引するガス状物質を発生させるガス状物質発生部９とを備え、ガス状物質発生部９を、吸込口３と吸込口カバー８が形成する隙間１１の一部分を覆うように設けたことにより、発生させたガス状物質をすぐに室外へ排出することなく、積極的に室内方向へ拡散させることができ、蚊を換気装置１付近まで誘引し、室内の飛翔昆虫を効率的に換気装置１から排出することができる。【選択図】図１
2019129816.tif 000002
【特許請求の範囲】
【請求項１】
筐体の前面において室内空気を排出する吸込口と、
吸込んだ空気を排出する排気口と、
前記吸込口と前記排気口とを連通する風路と、
前記風路内に設けた室内側から室外側へ向かう気流を発生させるモーターおよびファンと、
前記吸込口の開口面積よりも面積を大きくして形成したパネルであって、該吸込口との間に隙間をとって配置した吸込口カバーと、
蚊を誘引するガス状物質を発生させるガス状物質発生部とを備え、
前記ガス状物質発生部が、前記吸込口の外周部の一部分において前記隙間を覆うように設けられ、ガス状物質を室内側へ放出することを特徴とする換気装置。
【請求項２】
吸込口が、４つの辺によって区画されて室内空気を排出するものであり、前記吸い込み口カバーと吸込口との隙間を覆うように、４つの辺のうち１辺がガス状物質発生部によっておおわれていることを特徴とする請求項１記載の換気装置。
【請求項３】
ガス状物質発生部で発生させるガス状物質が、少なくとも二酸化炭素を含むことを特徴とする請求項１または２に記載の換気装置。
【請求項４】
ガス状物質発生部を、吸込口の略最下部に特徴とする、請求項１ないし３の一つに記載の換気装置。
【請求項５】
換気装置運転時にファンの回転と停止を交互に行い、ファン停止時にガス状物質発生部からガス状物質を放出し、ファン回転時には前記ガス状物質を放出しないことを特徴とする、請求項１ないし４の一つに記載の換気装置。
【請求項６】
ガス状物質発生部と接しない吸込口カバーの外周部分の一部または全部に、熱源を備えたことを特徴とする、請求項１ないし５の一つに記載の換気装置。
【発明の詳細な説明】
【技術分野】
【０００１】
本発明は、室内空気を室外へ排出する換気装置において、室内の飛翔昆虫を室外へと排出するための換気装置に関するものである。
【背景技術】
【０００２】
従来、この種の飛翔昆虫を室外へと排出する換気装置としては、吸込口付近に飛翔昆虫を誘引するための誘引部と、排気流を発生させるファンを備えたものが知られている。すなわち、図７に示すように、吸込口１０１付近に誘引部１０２として光源を備え、誘引部１０２に近付いた飛翔昆虫を、風路内のモーター１０３およびファン１０４を用いて発生させた気流で風路内に吸込み、室外へと排出する換気装置であった（例えば特許文献１参照）。
【０００３】
また、誘引ガスをファン前方で発生させて飛翔昆虫を誘引し、ファンで発生させた気流で誘引した飛翔昆虫を吸引し捕集する捕虫器も開発されている（例えば特許文献２参照）。
【先行技術文献】
【特許文献】
【０００４】
【特許文献１】特開平１０−２２７５０３号公報
【特許文献２】特開２０１５−６２４０１号公報
【発明の概要】
【発明が解決しようとする課題】
【０００５】
このような従来の飛翔昆虫を室外へと排出する換気装置は、光を用いて飛翔昆虫を誘引しているが、デング熱等を媒介するヒトスジシマカやネッタイシマカといった蚊に対して、光による誘引効果は低いとされており、危険性の高い蚊への効果が不十分であるという課題を有していた。
【０００６】
また、蚊に対する効果が高いとされる二酸化炭素を発生させる捕虫器は、発生させた二酸化炭素を自身の後段に設置されたファンによって拡散してしまい、誘引ガスが吸込口付近に留まらないため、飛翔昆虫を十分に誘引できないという課題を有していた。
【０００７】
本発明は、このような従来の課題を解決するものであり、吸込口付近に誘引ガスを発生させ、室内の飛翔昆虫を室外へと効率よく排出できる換気装置を提供することを目的としている。
【課題を解決するための手段】
【０００８】
この目的を達成するために、本発明は、室内空気を排出する吸込口と、吸込んだ空気を排出する排気口と、前記吸込口と前記排気口とを連通する風路と、前記風路内に設けた室内側から室外側へ向かう気流を発生させるモーターおよびファンと、前記吸込口の開口面積よりも面積を大きくして形成したパネルであって、該吸込口との間に隙間をとって配置した吸込口カバーと、蚊を誘引するガス状物質を発生させるガス状物質発生部とを備え、前記ガス状物質発生部が、前記吸込口外周部の一部において、前記隙間を覆うように設けられ、ガス状物質を室内側へ放出することを特徴とする換気装置であり、これにより所期の目標を達成するものである。
【発明の効果】
【０００９】
本発明では、室内空気を排出する吸込口と、吸込んだ空気を排出する排気口と、前記吸込口と前記排気口とを連通する風路と、前記風路内に設けた室内側から室外側へ向かう気流を発生させるモーターおよびファンと、前記吸込口の開口面積よりも面積を大きくして形成したパネルであって、該吸込口との間に隙間をとって配置した吸込口カバーと、蚊を誘引するガス状物質を発生させるガス状物質発生部とを備え、前記ガス状物質発生部が、前記吸込口外周部の一部において、前記隙間を覆うように設けられた構成とした。
【００１０】
本発明の構成によると、吸込口の一部の区画の隙間が、ガス状物質発生部によって覆われるため、室内空気は隙間が覆われた該区画から排出されず、他の区画から排出されることとなる。したがって、ガス状物質発生部から発生させたガス状物質を、すぐに室外へ排出することなく、積極的に室内方向へ拡散させることができる。
【００１１】
これにより、蚊を換気装置付近まで誘引することができ、室内の飛翔昆虫を効率的に換気装置から排出することができる。
【図面の簡単な説明】
【００１２】
【図１】本発明の実施の形態１の換気装置を示す側面断面図
【図２】本発明の実施の形態１の換気装置を示す正面概略図
【図３】本発明の実施の形態２の換気装置を示す正面概略図
【図４】本発明の実施の形態３の換気装置を示す正面概略図
【図５】本発明の実施の形態４の換気装置を示す側面概略図
【図６】同換気装置を住宅に設置した際の概略図
【図７】従来の換気装置を示す側面断面図
【発明を実施するための形態】
【００１３】
本発明の請求項１に係る換気装置は、室内空気を排出する吸込口と、吸込んだ空気を排出する排気口と、前記吸込口と前記排気口とを連通する風路と、前記風路内に設けた室内側から室外側へ向かう気流を発生させるモーターおよびファンと、前記吸込口の開口面積よりも面積を大きくして形成したパネルであって、該吸込口との間に隙間をとって配置した吸込口カバーと、蚊を誘引するガス状物質を発生させるガス状物質発生部とを備え、前記ガス状物質発生部が、前記吸込口の外周部の一部分において、前記隙間を覆うように設けられ、ガス状物質を室内側へ放出することを特徴とする換気装置である。
【００１４】
これにより、室内空気を排出する吸込口と、吸込口カバーとの間に形成する隙間の一部分の隙間が、ガス状物質発生部によって覆われるため、室内空気は該隙間から排出されず、他の隙間から排出されることとなる。したがって、ガス状物質発生部から発生させたガス状物質を、すぐに室外へ排出することなく、積極的に室内方向へ拡散させることができるので、蚊を換気装置付近まで誘引することができ、室内の飛翔昆虫を効率的に換気装置から排出することができる。
【００１５】
また、請求項２に係る換気装置は、前記吸込口がとくに４つの辺により区画されており、前記吸込口カバーと吸込み口との隙間を覆うように、４つの辺のうち１辺がガス状物質発生部が設置されている換気装置であり、４辺の区画の１辺を覆うことにより、放出されたガスが、辺を回り込まないと、ショートサーキットして室外に排出できない構成を実現できる。そのためガス状物質を室内方向に拡散させることができるので、蚊を換気装置付近まで効率的に誘引することができ、室内の飛鳥昆虫を効率的に換気装置から排出することができる。
【００１６】
また、請求項３に係る換気装置は、ガス状物質発生部で発生させるガス状物質が、少なくとも二酸化炭素を含むことを特徴とするものである。
【００１７】
蚊は長距離からわずかな二酸化炭素濃度勾配でも検出できるため、微量の二酸化炭素でも室内全体に亘って誘引効果を発揮することができる。
【００１８】
これにより、従来の光源を用いた捕虫装置では十分に誘引することのできなかった、アカイエカやヒトスジシマカのような人を吸血のターゲットとする蚊を換気装置付近に誘引し、室外へ排出することができる。
【００１９】
また、請求項４に係る換気装置は、ガス状物質発生部を、吸込口の略最下部に設けたことを特徴とするものである。
【００２０】
これにより、空気よりも分子量が大きい二酸化炭素を含むガス状物質は、下方に向かって拡散しやすいので、発生させたガス状物質を効率よく室内に拡散させることができ、蚊を換気装置付近まで誘引することができる。
【００２１】
また、請求項５に係る換気装置は、換気装置運転時にファンの回転と停止を交互に行い、ファン停止時にガス状物質発生部からガス状物質を放出し、ファン回転時には前記ガス状物質を放出しないことを特徴とするものである。
【００２２】
これにより、発生させたガス状物質の濃度が、一時的に換気装置の吸込口付近で高濃度となる状態を維持することができる。高濃度となったガス状物質に飛翔昆虫が誘引されることにより、吸込口付近に飛翔昆虫が集まり、換気装置から排出することができる。
【００２３】
中でも、ヒトスジシマカやネッタイシマカ、アカイエカといった、ヒトを吸血のターゲットにする蚊に対しては、二酸化炭素を間欠発生させることにより連続発生時と比較して誘引作用が増大することが知られており、感染症の媒介などの点において危険性の高い飛翔昆虫に対して特に高い誘引効果を発揮する。
【００２４】
また、請求項６に係る換気装置は、ガス状物質発生部と接しない吸込口カバーの外周部分の一部または全部に、熱源を備えたことを特徴とするものである。
【００２５】
蚊は熱の発生源を感知し、適温の場所に止まろうとする性質がある。ガス状物質発生部と接しない吸込口カバーの外周部分の一部または全部に、熱源を備えることにより、換気装置に近づいた蚊が吸込口から風路内に誘導され、効率的に換気装置から排出することができる。
【００２６】
以下、本発明の実施の形態について図面を参照しながら説明する。
【００２７】
（実施の形態１）
図１は、本実施の形態における換気装置１を示す側面断面図である。図２は、本実施の形態における換気装置１を示す正面概略図である。換気装置１は、部屋の壁面を貫通して取り付けられている。
【００２８】
図１および図２に示すように、換気装置１は、室内空気を排出する吸込口３と、吸込んだ空気を排出する排気口４とを備えた筐体２を有している。
【００２９】
筐体２の内部には、吸込口３と排気口４とを連通する風路５と、風路５内に設けた室内側から室外側へ向かう気流を発生させるモーター６およびファン７とを備えている。
【００３０】
筐体２の前面には、吸込口３の開口面積よりも面積を大きくして形成したパネル状の吸込口カバー８と、蚊を誘引するガス状物質を発生させるガス状物質発生部９と、熱源１０とを備えている。
【００３１】
吸込口カバー８は、吸込口３との間に隙間１１をとって配置されている。吸込口３は、筐体２の前面において４つの辺によって区画されている。すなわち、換気装置１を正面から見た場合に、吸込口３は、上辺、下辺、左辺、右辺の４つを有している。すなわち、吸込口カバー８は、筐体２の前面において、４つの方向に向けた隙間１１を形成している。
【００３２】
ガス状物質発生部９は、吸込口３の下辺の外側において隙間１１を覆うように設けられており、ガス状物質はガス状物質発生部９から室内側へ放出される。また、熱源１０は、吸込口カバー８の外周の上部に設置されている。ガス状物質発生部９と、熱源１０とは、接していない。
【００３３】
上記構成において、換気装置１を運転すると、モーター６およびファン７の動作により、室内側から室外側へ向かう気流が発生し、室内空気が換気される。また、ガス状物質発生部９から、蚊を誘引する効果を有するガス状物質が、室内側へ放出される。ガス状物質が室内側に拡散することで、濃度勾配を検知した室内の蚊が、換気装置１の付近に誘引される。換気装置１の付近に近づいた蚊は、熱源１０の熱を検知することで、さらに隙間１１の付近まで誘引される。隙間１１の付近まで近づいた蚊は、室内側から室外側へ向かう気流に吸い込まれることで、吸込口３から風路５の内部を経て、排気口４から室外へ排出される。
【００３４】
本実施の形態では、筐体２の前面において、４つの辺のそれぞれが吸込口カバー８との間に形成する隙間１１のうち下辺が形成する隙間１１は、ガス状物質発生部９によって覆われている。そのため、室内空気は該隙間１１からは排出されず、他の隙間１１から排出されることとなる。したがって、ガス状物質発生部９から発生させたガス状物質を、すぐに室外へ排出することなく、積極的に室内方向へ拡散させることができる。
【００３５】
これにより、蚊を換気装置１付近まで誘引することができ、室内の飛翔昆虫を効率的に換気装置１から排出することができる。
【００３６】
また本実施の形態では、ガス状物質発生部９で発生させるガス状物質を、二酸化炭素濃度が４．５％の空気とした。
【００３７】
蚊は長距離からわずかな二酸化炭素濃度勾配でも検出できるため、微量の二酸化炭素でも室内全体に亘って誘引効果を発揮することができる。また、二酸化炭素濃度４．５％は、人の呼気と同水準であるため、蚊を誘引する効果をより高めることができる。
【００３８】
これにより、従来の光源を用いた捕虫装置では十分に誘引することのできなかった、アカイエカやヒトスジシマカのような人を吸血のターゲットとする蚊を換気装置１付近に誘引し、室外へ排出することができる。
【００３９】
また本実施の形態では、ガス状物質発生部９を、吸込口３の下辺に設けている。
【００４０】
蚊を誘引するのに効果的な二酸化炭素を含むガス状物質は、空気よりも分子量が大きいため、室内側に放出した際に、下方に向かって拡散しやすい。ガス状物質発生部９を吸込口３の下辺に設けることにより、発生させたガス状物質を効率よく室内に拡散させることができ、蚊を換気装置１付近まで誘引することができる。
【００４１】
また本実施の形態では、換気装置１の運転時にファン７の回転と停止を交互に行い、ファン７の停止時にガス状物質発生部９からガス状物質を放出し、ファン７の回転時には前記ガス状物質を放出しない運転を行うことも可能である。
【００４２】
これにより、発生させたガス状物質の濃度が、一時的に換気装置１の吸込口３の付近で高濃度となる状態を維持することができる。高濃度となったガス状物質に飛翔昆虫が誘引されることにより、吸込口３の付近に飛翔昆虫が集まり、換気装置１から排出することができる。
【００４３】
中でも、ヒトスジシマカやネッタイシマカ、アカイエカといった、ヒトを吸血のターゲットにする蚊に対しては、二酸化炭素を間欠発生させることにより連続発生時と比較して誘引作用が増大することが期待できるため、感染症の媒介などの点において危険性の高い飛翔昆虫に対して特に高い誘引効果を発揮する。
【００４４】
前記運転方法によりガス状物質を間欠的に発生させる手段としては、例えば電磁弁とタイマー（図示せず）を備え、電磁弁とファンの電源を同一のものとし、タイマー制御により電磁弁の開放とファンの停止、電磁弁の閉鎖とファンの運転を交互に繰り返す構成とすることにより、実施することができる。
【００４５】
また本実施の形態では、ガス状物質発生部９と接していない、吸込口カバー８の外周の上部に、熱源１０を備えている。
【００４６】
蚊は熱の発生源を感知し、適温の場所に止まろうとする性質がある。そのため、ガス状物質の誘引効果によって換気装置１に近づいた蚊は熱源１０を感知し、止まろうとして吸込口３に近づきやすくなる。これにより、換気装置１に近づいた蚊が吸込口３から風路５内に誘導され、効率的に換気装置１から排出することができる。
【００４７】
蚊を止まらせる適切な温度として、熱源１０の表面温度は３０〜４０度が好ましく、３４〜３６度がより好ましい。
【００４８】
また本実施の形態では、ガス状物質発生部９を、二酸化炭素濃度が４．５％の空気を充填した小型ボンベとした。これにより、ガス状物質を効率よく発生させるだけでなく、ガス状物質が無くなったときに、簡単に交換、取り付けが可能となる。
【００４９】
なお本実施の形態では、発生させるガス状物質を二酸化炭素濃度が４．５％の空気としたが、これに限定されるものではなく、蚊を誘引する効果を発揮するガス状物質であればよい。例えば、乳酸、アンモニア、オクテノール等の、蚊を誘引するのに一定の効果があるとされている成分を加えてもよい。
【００５０】
なお本実施の形態では、ガス状物質発生部９を小型ボンベとしたが、これに限定されるものではなく、ガス状物質を発生させる構成であればよい。ガス状物質として二酸化炭素を含む場合、例えばＵＶランプ、光触媒、分解用の有機物を備え、ＵＶ光を光触媒に照射することにより、前記有機物を分解し、二酸化炭素を発生させる構成としてもよい。
【００５１】
なお本実施の形態では、熱源１０を吸込口カバー８の外周の上部に備えたが、ガス状物質発生部９と接していない、吸込口カバー８の外周の他の部分に備えてもよい。吸込口３のうち、ガス状物質発生部９で覆われていない箇所から排気されるため、熱源１０を多く備えることで、より多くの蚊を吸込口３付近に誘導し、効率よく蚊を室外へ排出することができる。
【００５２】
なお、熱源１０は吸込口カバー８だけでなく、ガス状物質発生部９で閉塞していない吸込口３と近接している、筐体２の前面部分に備えてもよい。これにより、蚊を吸込口３付近に誘導する効果を高めることができる。
【００５３】
（実施の形態２）
本実施の形態１では、ガス状物質発生部９は、吸込口３の下辺の外側において隙間１１を覆うように設けられたが、下辺一辺のみを覆うだけでなく、図３に示すように、右辺及び左辺の下の一部まで覆うようなガス状物質発生部１２である形状であってもよい。これにより、ガス状物質発生部１２から発生させたガス状物質を、すぐに室外へ排出することなく、積極的に室内方向へ拡散させることができる。
【００５４】
これにより、蚊を換気装置１付近まで誘引することができ、室内の飛翔昆虫を効率的に換気装置１から排出することができる。
【００５５】
（実施の形態３）
本実施の形態１、２では、吸込口３は、４つの辺より形成されるものであったが、図４に示すように円形吸込口１３と吸込口カバー１４によって隙間１１をとって配置されてもよい。ガス状物質発生部１５が円形吸込口１３と吸込口カバー１４によって作られる隙間１１の最下部をふさぎ、ガス状物質が吹き出す形状であってもよい。
【００５６】
これにより、ガス状物質発生部９から発生させたガス状物質を、すぐに室外へ排出することなく、積極的に室内方向へ拡散させることができる。蚊を換気装置１付近まで誘引することができ、室内の飛翔昆虫を効率的に換気装置１から排出することができる。
【００５７】
（実施の形態４）
図５は、本実施の形態における換気装置１を示す側面断面図、図６は同換気装置１を住宅に設置した際の概略図である。図５および図６において、実施の形態１と同一の部分は同一符号を付し、その詳細な説明は省略する。
【００５８】
図５に示すように、換気装置１は、ガス状物質発生部９を備えており、前記ガス状物質発生部９に対してガス状物質を供給する手段として、配管１６と電磁弁１７を備える。図６に示すように、配管１６はガスボンベ１８と接続されている。
【００５９】
上記のような構成とすることにより、ガス状物質を長期間に亘って換気装置１に供給することができ、ユーザーのメンテナンス性を向上させることができる。
【産業上の利用可能性】
【００６０】
室内空気を室外へ排出するとともに、室内の飛翔昆虫を室外へと排出する換気装置として有用である。
【符号の説明】
【００６１】
１    換気装置
２    筐体
３    吸込口
４    排気口
５    風路
６    モーター
７    ファン
８    吸込口カバー
９    ガス状物質発生部
１０    熱源
１１    隙間
１２    ガス状物質発生部（コの字形）
１３    円形吸込口
１４    吸込口カバー（円形）
１５    ガス状物質発生部（円周形）
１６    配管
１７    電磁弁
１８    ガスボンベ
１０１    吸込口
１０２    誘引部
１０３    モーター
１０４    ファン
【図１】
2019129816.tif 000003
【図２】
2019129816.tif 000004
【図３】
2019129816.tif 000005
【図４】
2019129816.tif 000006
【図５】
2019129816.tif 000007
【図６】
2019129816.tif 000008
【図７】
2019129816.tif 000009